(57)【要約】【課題】興味のあるシーンを見逃してしまうのを容易に防ぐことができるようにする。【解決手段】ユーザがマウスなどを操作してマウスポインタＰをタイマボタン８２の上に移動させ、クリックを行ったとき、チャンネルタイマ機能はオンになり、タイマ時間のカウントが開始される。タイマ時間表示部８３に表示されるタイマ時間の残り時間は、時間の経過に伴って１秒ずつ減らされる。タイマ時間の残り時間が０秒になったとき、チャンネルタイマ機能がオンに設定されたときに受信されていたチャンネルが受信され、映像表示部５２の表示も、チャンネルタイマ機能がオンに設定されたときに受信されていたチャンネルの番組の映像が表示される。本発明は、テレビジョン番組を再生する機器に適用することができる。【選択図】図７
2007282114.tif 000002
【特許請求の範囲】
【請求項１】
ユーザによる指示に応じて時間の計測を開始する計時手段と、
前記計時手段により計測された時間が所定の時間になったとき、前記計時手段による時間の計測が開始されたときに受信していたチャンネルを受信し、受信したチャンネルで提供されるコンテンツを再生させる再生制御手段と
を備える再生制御装置。
【請求項２】
前記再生制御手段は、コンテンツの映像が表示される映像表示領域を含むウインドウに重ねて他のウインドウが表示されている状態で前記計時手段により計測された時間が前記所定の時間になったとき、前記映像表示領域を含むウインドウを前記他のウインドウに重ねて表示させ、受信したチャンネルで提供される前記コンテンツを再生させる
請求項１に記載の表示制御装置。
【請求項３】
前記再生制御手段は、前記計時手段により計測された時間が、前記所定の時間として選択可能な時間の一覧からユーザにより選択された時間になったとき、受信したチャンネルで提供される前記コンテンツを再生させる
請求項１に記載の表示制御装置。
【請求項４】
ユーザによる指示に応じて時間の計測を開始し、
計測した時間が所定の時間になったとき、時間の計測が開始されたときに受信していたチャンネルを受信し、受信したチャンネルで提供されるコンテンツを再生させる
ステップを含む再生制御方法。
【請求項５】
ユーザによる指示に応じて時間の計測を開始し、
計測した時間が所定の時間になったとき、時間の計測が開始されたときに受信していたチャンネルを受信し、受信したチャンネルで提供されるコンテンツを再生させる
ステップを含む処理をコンピュータに実行させるプログラム。
【発明の詳細な説明】
【技術分野】
【０００１】
本発明は、再生制御装置、再生制御方法、およびプログラムに関し、特に、興味のあるシーンを見逃してしまうのを容易に防ぐことができるようにした再生制御装置、再生制御方法、およびプログラムに関する。
【背景技術】
【０００２】
CM(Commercial Message)が連続して放送されたり、選手が入れ替わって演技を行うフィギュアスケートなどのスポーツ番組においてお目当ての選手の演技がはじまるまでにしばらく時間がかかったりするように、テレビジョン番組を視聴している際、その人の趣味によるが、視聴者にとってあまり興味のないシーンが続くことがある。
【０００３】
このようなときに他のチャンネルに回したり、他の作業を行ったりしていると、往々にして、興味のあるシーンを見逃してしまうことがある。そこで、このようなことを防ぐための技術が各種提案されている。
【０００４】
例えば、特許文献１には、２つのチューナのうちの一方のチューナにおいてモノラル、ステレオ、２ヶ国語などの音声のモードの変化を検出し、検出した音声のモードに応じて、他方のチューナにおいて受信するチャンネルを切り替える技術が提案されている。
【０００５】
この技術においては、例えば、CMが続くことから、それまで視聴していた映画のチャンネルから他のチャンネルにチャンネルを回していた場合であっても、音声モードがステレオから２ヶ国語に変化したことが一方のチューナにおいて検出されたことに応じて、映画のチャンネルの受信が他方のチューナにおいて再開されるといったことが行われる。映画は２ヶ国語の音声モードで放送され、CMはステレオの音声モードで放送されることから、この音声モードの変化が検出され、検出された音声モードの変化に応じてチャンネルが切り替えられる。
【特許文献１】特開２００４−１８６９４２号公報
【発明の開示】
【発明が解決しようとする課題】
【０００６】
上述したような技術によれば、当然、受信するチャンネルを切り替えるために１つの機器に２つのチューナを用意する必要があり、機器の価格が高くなるとともに、消費電力も大きくなってしまう。
【０００７】
また、CMの音声モードと、映画などの番組本編の音声モードがそれぞれ異なることが前提であり、CMも番組本編もステレオの音声モードで放送されるといったように音声モードが同じである場合にはチャンネルの切り替えを正しく行わせることができない。
【０００８】
本発明はこのような状況に鑑みてなされたものであり、興味のあるシーンを見逃してしまうのを容易に防ぐことができるようにするものである。
【課題を解決するための手段】
【０００９】
本発明の一側面の再生制御装置は、ユーザによる指示に応じて時間の計測を開始する計時手段と、前記計時手段により計測された時間が所定の時間になったとき、前記計時手段による時間の計測が開始されたときに受信していたチャンネルを受信し、受信したチャンネルで提供されるコンテンツを再生させる再生制御手段とを備える。
【００１０】
前記再生制御手段には、コンテンツの映像が表示される映像表示領域を含むウインドウに重ねて他のウインドウが表示されている状態で前記計時手段により計測された時間が前記所定の時間になったとき、前記映像表示領域を含むウインドウを前記他のウインドウに重ねて表示させ、受信したチャンネルで提供される前記コンテンツを再生させることができる。
【００１１】
前記再生制御手段には、前記計時手段により計測された時間が、前記所定の時間として選択可能な時間の一覧からユーザにより選択された時間になったとき、受信したチャンネルで提供される前記コンテンツを再生させることができる。
【００１２】
本発明の一側面の再生制御方法またはプログラムは、ユーザによる指示に応じて時間の計測を開始し、計測した時間が所定の時間になったとき、時間の計測が開始されたときに受信していたチャンネルを受信し、受信したチャンネルで提供されるコンテンツを再生させるステップを含む。
【００１３】
本発明の一側面においては、ユーザによる指示に応じて時間の計測が開始され、計測された時間が所定の時間になったとき、時間の計測が開始されたときに受信されていたチャンネルが受信され、受信されたチャンネルで提供されるコンテンツが再生される。
【発明の効果】
【００１４】
本発明の一側面によれば、ユーザは、興味のあるシーンを見逃してしまうのを容易に防ぐことができる。
【発明を実施するための最良の形態】
【００１５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１６】
本発明の一側面の再生制御装置（例えば、図１のパーソナルコンピュータ１）は、ユーザによる指示に応じて時間の計測を開始する計時手段（例えば、図１２の計時部１０２）と、前記計時手段により計測された時間が所定の時間になったとき、前記計時手段による時間の計測が開始されたときに受信していたチャンネルを受信し、受信したチャンネルで提供されるコンテンツを再生させる再生制御手段（例えば、図１２の再生制御部１０１）とを備える。
【００１７】
本発明の一側面の再生制御方法またはプログラムは、ユーザによる指示に応じて時間の計測を開始し（例えば、図１３のステップＳ２）、計測した時間が所定の時間になったとき、時間の計測が開始されたときに受信していたチャンネルを受信し、受信したチャンネルで提供されるコンテンツを再生させるステップ（例えば、図１３のステップＳ５）を含む。
【００１８】
以下、本発明の実施の形態について図を参照して説明する。
【００１９】
図１は、本発明の一実施形態に係るパーソナルコンピュータ１のハードウエア構成例を示すブロック図である。
【００２０】
パーソナルコンピュータ１は、ノートブック型のコンピュータであってもよいし、デスクトップ型のコンピュータであってもよい。
【００２１】
CPU(Central Processing Unit)１１は、ROM(Read Only Memory)１２、または記憶部１９に記憶されているプログラムに従って各種の処理を実行する。RAM(Random Access Memory)１３には、CPU１１が実行するプログラムやデータなどが適宜記憶される。これらのCPU１１、ROM１２、およびRAM１３は、バス１４により相互に接続されている。
【００２２】
CPU１１にはまた、バス１４を介して入出力インターフェース１５が接続されている。入出力インターフェース１５には、チューナ１６が接続されている。
【００２３】
チューナ１６は、屋外などに取り付けられたアンテナ３１によって受信された放送波からユーザにより選択されたチャンネルで放送されている番組のデータ（映像、音声のデータ）やEPG(Electronic Program Guide)データを取得し、取得した番組のデータとEPGデータを、入出力インターフェース１５を介して出力部１８に出力する。出力部１８においては、チューナ１６から供給されたデータに基づいて、番組の映像やチャンネルのリストなどが表示される。
【００２４】
アンテナ３１により受信される放送は、地上アナログ放送、ワンセグ（商標）を含む地上ディジタル放送、BS(Broadcasting Satellite)／CS(Communications Satellite)ディジタル放送のいずれの放送であってもよい。
【００２５】
放送波を介して提供される番組ではなく、インターネットを介して所定のサーバから提供される番組のデータがパーソナルコンピュータ１において取得され、処理が行われるようにしてもよい。また、EPGデータも、放送波を介してではなくインターネットを介して所定のサーバから取得されるようにしてもよい。
【００２６】
入出力インターフェース１５には、キーボード、マウスなどよりなる入力部１７、ディスプレイ、スピーカなどよりなる出力部１８が接続されている。CPU１１は、入力部１７から入力されるユーザによる操作に対応して各種の処理を実行する。
【００２７】
入出力インターフェース１５に接続されている記憶部１９は、例えばハードディスクからなり、CPU１１が実行するプログラムや、チューナ１６から供給された番組のデータ、EPGデータなどの各種のデータを記憶する。記憶部１９には、CPU１１が実行するプログラムとして、例えば、番組の映像とともに、取得されたEPGデータに基づいて番組の情報をパーソナルコンピュータ１のディスプレイに表示させたりするアプリケーションが用意される。以下、適宜、番組の映像を表示させたりするこのアプリケーションをインフォTVアプリケーションという。
【００２８】
通信部２０は、インターネットやローカルエリアネットワークなどのネットワークを介して外部の装置と通信を行う。
【００２９】
入出力インターフェース１５に接続されているドライブ２１は、磁気ディスク、光ディスク、光磁気ディスク、或いは半導体メモリなどのリムーバブルメディア２２が装着されたとき、それらを駆動し、そこに記録されているプログラムやデータなどを取得する。取得されたプログラムやデータは、必要に応じて記憶部１９に転送され、記憶される。
【００３０】
図２は、インフォTVアプリケーションによってディスプレイに表示される画面の例を示す図である。
【００３１】
インフォTVアプリケーションが起動したとき、図２に示されるように、パーソナルコンピュータ１に搭載されるOS(Operating System)によって表示されるデスクトップ画面の右端に、番組の映像などを含む画面（ウインドウ）が表示される。
【００３２】
このように、番組の映像などを含むウインドウがデスクトップ画面の端に表示されるから、ユーザは、このウインドウ以外の部分に、文書作成アプリケーションのウインドウやWebブラウザのウインドウなどを表示させ、それらのウインドウを用いて文書を作成したりWebサイトを閲覧したりしながら、番組を視聴することができる。
【００３３】
図３は、インフォTVアプリケーションによって表示される図２のウインドウを拡大して示す図である。
【００３４】
図３に示されるように、インフォTVアプリケーションによって表示されるウインドウは、基本的に、番組表示部４１とリスト表示部４２から構成される。
【００３５】
このうちの番組表示部４１は、タイトルバー５１、映像表示部５２、およびコントロールパネル５３から構成される。
【００３６】
タイトルバー５１は、図３のウインドウを表示するアプリケーションの名前などが表示される領域である。図３の例においては、図３のウインドウがインフォTVアプリケーションによって表示されていることを表す「インフォTV」がタイトルバー５１に表示されている。アプリケーションの名前の他に、ウインドウを閉じるときに操作されるボタンなどもタイトルバー５１には表示される。
【００３７】
映像表示部５２は、ユーザにより選択されたチャンネルによって現在放送中の番組の映像が所定の解像度で表示される領域である。映像表示部５２に映像が表示されている番組が、ユーザが視聴中の番組となる。図３の例においては、ユーザが視聴中の番組はサッカー中継とされている。
【００３８】
コントロールパネル５３は、視聴中の番組に対してユーザが各種の操作を行うときに操作されるボタンなどが表示される領域である。図３の例においては、チャンネル表示部６１、チャンネルタイマ表示部６２、ミュートボタン６３、音量調整スライドバー６４がコントロールパネル５３に表示されている。
【００３９】
チャンネル表示部６１は、受信中のチャンネルのチャンネル名（放送局名）と、チャンネルを切り替えるときに操作される＋／−ボタンが表示される領域である。図３の例においては、「FFテレビ」のチャンネル名が表示されている。
【００４０】
チャンネルタイマ表示部６２は、チャンネルタイマを設定するときに操作されるボタンとタイマ時間が表示される領域である。チャンネルタイマ機能は、他のチャンネルを受信している場合であっても、チャンネルタイマ機能をオンにしたときから所定の時間（タイマ時間）が経過したときには、チャンネルタイマ機能をオンにしたときに受信していたチャンネルを自動的に受信する機能である。
【００４１】
ミュートボタン６３はスピーカから出力される番組の音声をミュートさせるときに操作されるボタンであり、音量調整スライドバー６４は番組の音声の音量を調整するときに操作される表示である。
【００４２】
一方、インフォTVアプリケーションによって表示されるウインドウを構成する番組表示部４１とリスト表示部４２のうちのリスト表示部４２は、図３に示されるように、チャンネルリスト７１と番組詳細情報表示部７２から構成される。
【００４３】
チャンネルリスト７１は、受信可能なチャンネルのチャンネル番号やチャンネル名が表示されるリストである。ユーザは、チャンネルリスト７１に表示されるチャンネルの中から所定のチャンネルをマウスを操作するなどして選択し、選択したチャンネルで放送中の番組を視聴することができる。
【００４４】
図３の例においては、上から、「１CH  MMK総合」、「３CH  MMK教育」、「４CH  大日テレビ」、・・・、「１４CH  TXテレビ」が、選択可能なチャンネルのチャンネル番号とチャンネル名として表示されている。また、斜線を付して示されるように、チャンネルリスト７１に表示されているチャンネルの中から「８CH   FFテレビ」が選択されている。図３の映像表示部５２に表示されている映像は、この「８CH  FFテレビ」で放送されている番組の映像である。
【００４５】
なお、チャンネルリスト７１のそれぞれの欄の右方に適宜表示される「ｉ」の文字を表すアイコンは、そのアイコンが表示されている欄のチャンネルで放送される番組のEPGデータがインターネットなどを介して取得されていることを表す。
【００４６】
番組詳細情報表示部７２は、チャンネルリスト７１から選択されたチャンネルで放送される番組の詳細情報が表示される領域である。番組の詳細情報はEPGデータなどに基づいて表示される。
【００４７】
図３の例においては、詳細情報として番組詳細情報表示部７２に表示される人名などの単語には下線が引かれており、ユーザが、マウスなどを操作して下線が引かれている単語を選択することができるようになされている。単語が選択されたとき、例えば、選択された単語に基づいてその単語に関連のある情報の検索などが行われる。
【００４８】
図４は、インフォTVアプリケーションによってディスプレイに表示される他の画面の例を示す図である。
【００４９】
図４に示されるように、インフォTVアプリケーションによって表示されるウインドウを構成する番組表示部４１とリスト表示部４２のうち、番組表示部４１だけをユーザが好みの場所に移動させることができるようになされている。
【００５０】
すなわち、ウインドウの表示モードとして、リスト表示部４２とともに番組表示部４１の位置が固定になる固定モードが選択されているとき図２の画面が表示され、番組表示部４１の位置を自由に動かすことができるフローティングモードが選択され、番組表示部４１の位置が画面の中央付近に移動されたとき図４の画面が表示される。番組表示部４１の位置の移動は、例えば、図４に示されるように、番組表示部４１のタイトルバー５１にマウスポインタＰをあて、ドラッグ＆ドロップ操作を行うことなどによって行われる。
【００５１】
なお、フローティングモードが選択されたとき、リスト表示部４２の表示は消される。
【００５２】
図５は、インフォTVアプリケーションによってディスプレイに表示されるさらに他の画面の例を示す図である。
【００５３】
番組表示部４１にマウスポインタＰがあてられている図４の状態から、図５に示されるように、マウスポインタＰが番組表示部４１の外側に移動されたとき、番組表示部４１のうちのタイトルバー５１とコントロールパネル５３の表示は消され、映像表示部５２だけが表示される。
【００５４】
例えば、マウスポインタＰを文書作成アプリケーションのウインドウにあて、ユーザが文書の作成などを行っているとき、図５に示されるような形で映像表示部５２が表示される。マウスポインタＰが番組表示部４１の外側に移動されたときにはコントロールパネル５３に表示されるボタンの操作などは行われないから、そのようないわば不要な表示が消されることによって、ユーザは、ディスプレイのできるだけ広い範囲を、文書作成などのメインの作業に割り当てることができる。
【００５５】
ここで、インフォTVアプリケーションのチャンネルタイマ機能について説明する。
【００５６】
上述したように、チャンネルタイマ機能は、他のチャンネルを受信している場合であっても、チャンネルタイマ機能をオンにしたときからタイマ時間が経過したときに、チャンネルタイマ機能をオンにしたときに受信していたチャンネルを自動的に受信させる機能であり、例えば、視聴していた番組本編が中断し、CMが開始されたことから、そのCMが放送される間だけ他のチャンネルの番組を視聴しようとするときなどに利用される。ユーザは、CMが開始されたタイミングでタイマ機能をオンに設定し、チャンネルを切り替えて他のチャンネルの番組を視聴することになる。
【００５７】
図６は、インフォTVアプリケーションによって表示されるウインドウのコントロールパネル５３に表示されるチャンネルタイマ表示部６２を拡大して示す図である。
【００５８】
図６に示されるように、チャンネルタイマ表示部６２は、基本的に、ON/OFF表示部８１、タイマボタン８２、タイマ時間表示部８３から構成される。タイマ時間表示部８３には、マーカ８３Ａが表示される。
【００５９】
ON/OFF表示部８１は、その色によってチャンネルタイマ機能のオン／オフを表す。例えば、チャンネルタイマ機能がオンになっているとき、ON/OFF表示部８１は黄色で表示され、チャンネルタイマ機能がオフになっているとき、ON/OFF表示部８１は黒色で表示される。
【００６０】
以下、図においてON/OFF表示部８１が白抜きで示されていることはON/OFF表示部８１が黒色で表示されていること、すなわちチャンネルタイマ機能がオフになっていることを表し、ON/OFF表示部８１が斜線を付して示されていることはON/OFF表示部８１が黄色で表示されていること、すなわちチャンネルタイマ機能がオンになっていることを表す。
【００６１】
タイマボタン８２は、チャンネルタイマ機能のオン／オフを切り替えるときに操作されるボタンである。図６の例においては、時計の絵と「CH」（チャンネル）の文字がタイマボタン８２には付されている。
【００６２】
タイマ時間表示部８３は、タイマ時間とマーカ８３Ａが表示される領域である。図６の例においてはタイマ時間は６０秒とされている。チャンネルタイマ機能がオンにされたとき、タイマ時間のカウントが開始され、タイマ時間表示部８３の表示は時間の経過に伴って１秒ずつ減らされる。タイマ時間表示部８３に表示されるタイマ時間はユーザが好みに応じて選択することができるようになされており、マーカ８３Ａが押されたとき、タイマ時間としてユーザが選択可能な時間が一覧表示される。一覧表示される時間の中から６０秒以外の時間が選択されたとき、新たに選択された時間を表す数字がタイマ時間表示部８３に表示される。
【００６３】
図７は、番組表示部４１の表示の遷移の例を示す図である。
【００６４】
図７の上方に示される番組表示部４１は、チャンネルタイマ機能がオフの状態にある番組表示部４１を表す。図７の上方に示される番組表示部４１のチャンネル表示部６１には、受信中のチャンネルが「FFテレビ」であることが表示されている。また、映像表示部５２には、「FFテレビ」で放送されているサッカー中継の映像が表示されている。
【００６５】
チャンネルタイマ表示部６２のON/OFF表示部８１は黒色で表示され、タイマ時間表示部８３にはタイマ時間が６０秒であることが表示されている。
【００６６】
図７の上方に示されるように、ユーザがマウスなどを操作してマウスポインタＰをタイマボタン８２の上に移動させ、クリックを行ったとき、チャンネルタイマ機能はオンになり、番組表示部４１の表示は図７の白抜き矢印の先に示されるものになる。
【００６７】
図７の下方に示される番組表示部４１においては、ON/OFF表示部８１は黄色で表示され、タイマ時間表示部８３には、タイマ時間の残り時間が５９秒であることが表示されている。図７の下方に示される番組表示部４１は、チャンネルタイマ機能がオンになってから１秒後の番組表示部４１の状態を示している。
【００６８】
このような状態になってから、ユーザは、受信するチャンネルを現在受信中のチャンネルから他のチャンネルに切り替えて、他のチャンネルで放送される番組を視聴することになる。時間の経過に伴ってタイマ時間の残り時間も１秒ずつ減算され、残り時間が０秒になったとき、受信するチャンネルは、チャンネルタイマ機能がオンにされたときに受信していたチャンネルに切り替えられる。また、映像表示部５２に表示される映像も切り替えられる。
【００６９】
図８は、番組表示部４１の表示の遷移の他の例を示す図である。
【００７０】
図８の上方に示される番組表示部４１においては、「MMK総合」のチャンネルが受信されていることがチャンネル表示部６１に表示され、「MMK総合」のチャンネルで放送されている番組の映像が映像表示部５２に表示されている。また、チャンネルタイマ表示部６２のタイマ時間表示部８３には、タイマ時間の残り時間が０秒であることが表示されている。
【００７１】
タイマ時間の残り時間が０秒になったとき、番組表示部４１の表示は、図８の白抜き矢印の先に示される表示になる。
【００７２】
図８の下方に示される番組表示部４１においては、チャンネル表示部６１には「FFテレビ」が表示されており、受信するチャンネルが、チャンネルタイマ機能がオンにされたときに受信していた「FFテレビ」に切り替えられている（チャンネルが復帰している）。また、受信するチャンネルが切り替えられることに応じて、映像表示部５２には、「FFテレビ」で放送されるサッカー中継の映像が表示されている。
【００７３】
さらに、チャンネルタイマ表示部６２のON/OFF表示部８１は、チャンネルタイマ機能がオフであることを表す黒色で表示され、タイマ時間表示部８３には、タイマ時間が６０秒であることが表示されている。
【００７４】
このように、ユーザは、チャンネルタイマ機能をオンにしたときに視聴していた番組を、タイマ時間経過後に確実に視聴することができ、他のチャンネルで放送される番組を見ていたために、見たいシーンを見逃してしまうことを防ぐことができる。
【００７５】
ユーザは、３０秒後に再び、いま見ている番組を確実に見たいときにはタイマ時間を３０秒に設定してチャンネルタイマ機能をオンとし、また、６０秒後に再び、いま見ている番組を確実に見たいときにはタイマ時間を６０秒に設定してチャンネルタイマ機能をオンとすることによって、それを実現することができる。ユーザは、タイマ時間をあらかじめ設定しておけば、所定の時間だけ経過した後にいま見ている番組を再び見るといった、いわば簡易な視聴予約を、タイマボタン８２を押すだけで設定することができる。
【００７６】
なお、タイマ時間の残り時間が０秒になった場合、番組表示部４１が他のウインドウの下に隠れて見えなくなっているときであっても、番組表示部４１は最前面に表示される。
【００７７】
インフォTVアプリケーションのウインドウの表示モードとしてフローティングモードを選択しているとき、上述したように、ユーザは、番組表示部４１を好みの位置に移動させることができ、このとき、他のウインドウを番組表示部４１の上に表示させて、番組表示部４１の上に表示させたウインドウによって文書の作成などの所定の作業を行うことができるが、このように、タイマ時間の残り時間が０秒になった場合には番組表示部４１が他のウインドウに重ねて前面に表示されるから、ユーザは、他のウインドウの表示を利用して作業を行っているときであっても、見たいシーンを見逃してしまうことを防ぐことができる。
【００７８】
また、チャンネルタイマ機能がオンにされ、タイマ時間のカウントが行われている間は番組の音声がミュートされ、タイマ時間の残り時間が０秒になり、受信するチャンネルが、チャンネルタイマ機能がオンにされたときのチャンネルに復帰したときにそのミュートが解除され、音声の出力が再開されるようにしてもよい。
【００７９】
図９は、番組表示部４１の表示の遷移のさらに他の例を示す図である。
【００８０】
図９の上方に示される番組表示部４１は、チャンネルタイマ機能がオンの状態にある番組表示部４１を表す。チャンネルタイマ表示部６２のON/OFF表示部８１は黄色で表示され、タイマ時間表示部８３にはタイマ時間の残り時間が５３秒であることが表示されている。
【００８１】
チャンネルタイマ機能がオンの状態にあるとき、ユーザは、図９の上方に示されるようにマウスポインタＰをタイマボタン８２の上に移動させ、クリックを行うことによって、チャンネルタイマ機能をオフにすることができる。
【００８２】
図９の下方に示される番組表示部４１は、チャンネルタイマ機能がオフの状態にある番組表示部４１を表す。チャンネルタイマ表示部６２のON/OFF表示部８１は黒色で表示され、タイマ時間表示部８３には、タイマ時間が６０秒であることが表示されている。
【００８３】
図１０は、インフォTVアプリケーションにより表示されるウインドウの他の例を示す図である。
【００８４】
タイマ時間表示部８３に表示されるマーカ８３Ａが選択されたとき、図１０に示されるように、ユーザが選択することができる時間の一覧が一覧８３Ｂとして表示される。なお、インフォTVアプリケーションにより表示される図１０のウインドウは、固定モードで表示されるウインドウを示している。
【００８５】
図１０の一覧８３Ｂには、１５秒、３０秒、４５秒、・・・、１５０秒が、ユーザが選択することができる時間として表示され、そのうちの６０秒にチェックが付けられている。ユーザは、マウスポインタＰを移動させ、所定の時間の上にマウスポインタＰをあてた状態でクリック操作を行うことによって、この一覧８３Ｂから、タイマ時間として設定する時間を選択することができる。
【００８６】
一覧８３Ｂからタイマ時間が選択されたとき、一覧８３Ｂの表示は消される。また、チャンネルタイマ機能はオンとなり、タイマ時間の減算が開始される。
【００８７】
図１０において、一覧８３Ｂの一番上には「＋１５秒」が表示されている。これは、「＋１５秒」を選択することによって、設定するタイマ時間を、現在の時間から１５秒だけ増やすことができることを表す。例えば、現在のタイマ時間の設定が６０秒であるときにこの「＋１５秒」が選択されたとき、タイマ時間は７５秒として設定されることになる。
【００８８】
チャンネルタイマ機能がオンになっているときにも一覧８３Ｂから「＋１５秒」を選択することができるようにしてもよい。例えば、タイマ時間の残り時間が１０秒になっているときに「＋１５秒」が選択されたとき、タイマ時間の残り時間は２５秒として設定され、残り時間の減算が続けられる。
【００８９】
なお、インフォTVアプリケーションのウインドウの表示モードとしてフローティングモードを選択している場合、番組表示部４１の表示モードとして、他のウインドウの下に隠れてしまわないように番組表示部４１を前面に表示させる（他のウインドウの上に重ねて表示させる）常時前面表示モードと、状況によっては他のウインドウの下に隠れて表示させる非常時前面表示モードが用意されている。常時前面表示モードを選択することによって、ユーザは、他のウインドウと同じ位置に番組表示部４１を移動させた場合であっても、番組表示部４１に表示される番組の映像などを常に確認することができる。
【００９０】
チャンネルタイマ機能がオンになったとき、それまで番組表示部４１の表示モードとして常時前面表示モードが選択されていた場合であっても、常時前面表示モードは解除され、非常時前面表示モードが設定される。
【００９１】
図１１は、番組表示部４１の表示の遷移の例を示す図である。
【００９２】
図１１の上方に示される番組表示部４１は、チャンネルタイマ機能がオフの状態にあり、その表示モードとして常時前面表示モードが選択されている番組表示部４１を表す。
【００９３】
チャンネルタイマ表示部６２のON/OFF表示部８１は黒色で表示され、タイマ時間表示部８３にはタイマ時間が６０秒であることが表示されている。タイトルバー５１には、アイコン５１Ａが表示されている。
【００９４】
タイトルバー５１に表示されているアイコン５１Ａの向きは、番組表示部４１の表示モードを表す。例えば、水平方向に向けられているアイコン５１Ａ（図１１上のアイコン５１Ａ）は、番組表示部４１の表示モードとして常時前面表示モードが設定されていることを表し、斜め方向に向けられているアイコン５１Ａ（図１１下のアイコン５１Ａ）は、番組表示部４１の表示モードとして非常時前面表示モードが設定されていることを表す。
【００９５】
チャンネルタイマ機能がオンになったとき、常時前面表示モードは解除され、番組表示部４１の表示は図１１の白抜き矢印の先に示されるものになる。図１１の下方に示される番組表示部４１のタイトルバー５１には、斜め方向に向けられているアイコン５１Ａが表示されている。また、チャンネルタイマ表示部６２のON/OFF表示部８１はチャンネルタイマ機能がオンの状態にあることを表す黄色で表示され、タイマ時間表示部８３には、タイマ時間の残り時間が５９秒であることが表示されている。
【００９６】
以上のようにしてディスプレイの表示を制御し、受信するチャンネルを制御するパーソナルコンピュータ１の処理についてはフローチャートを参照して後述する。
【００９７】
図１２は、パーソナルコンピュータ１の機能構成例を示すブロック図である。図１２に示す機能部のうちの少なくとも一部は、図１のCPU１１によりインフォTVアプリケーションが実行されることによって実現される。
【００９８】
図１２に示されるように、パーソナルコンピュータ１においては再生制御部１０１と計時部１０２が実現される。
【００９９】
再生制御部１０１は、ユーザによる操作に応じて、チューナ１６において受信されるチャンネルを制御する。また、再生制御部１０１は、チューナ１６により受信され、取得された番組のデータとEPGデータに基づいて、図３に示されるような構成を有するウインドウの表示を制御する。
【０１００】
再生制御部１０１は、計時部１０２により計測される時間に基づいて、タイマ時間表示部８３に表示されるタイマ時間の残り時間を１秒ずつ減算させて表示させることなども行い、残り時間が０秒になったとき、チューナ１６に、チャンネルタイマ機能がオンにされたときに受信していたチャンネルを受信させる。再生制御部１０１は、チャンネルタイマ機能がオンにされたときに受信していたチャンネルの情報を管理している。
【０１０１】
また、再生制御部１０１は、番組のデータがチューナ１６から供給されたとき、番組を再生し、映像表示部５２に番組の映像を表示させるとともに、番組の音声をスピーカから出力させる。
【０１０２】
計時部１０２は、タイマボタン８２が押され、チャンネルタイマ機能をオンにすることがユーザにより指示されたとき、時間の計測を開始し、計測した時間の情報を再生制御部１０１に出力する。
【０１０３】
ここで、図１３のフローチャートを参照して、受信するチャンネルを切り替えるパーソナルコンピュータ１の処理について説明する。
【０１０４】
ステップＳ１において、計時部１０２は、チャンネルタイマ機能がオンにされたか否かを判定し、チャンネルタイマ機能がオンにされたと判定するまで待機する。
【０１０５】
計時部１０２は、ステップＳ１において、タイマボタン８２が押されたことから、チャンネルタイマ機能がオンにされたと判定した場合、ステップＳ２に進み、時間の計測を開始する。計時部１０２は、計測した時間の情報を再生制御部１０１に順次出力する。このとき、チューナ１６において受信していたチャンネルの情報が再生制御部１０１により記憶される。
【０１０６】
チャンネルタイマ機能をオンにした後、ユーザは、チャンネルを切り替え、それまで視聴していた番組とは異なる番組を視聴することなどを行う。
【０１０７】
ステップＳ３において、再生制御部１０１は、チューナ１６において受信するチャンネルをユーザによる操作に応じて切り替える。再生制御部１０１は、そのとき受信しているチャンネルで放送される番組を再生し、映像を映像表示部５２に表示させたりする。
【０１０８】
ステップＳ４において、再生制御部１０１は、計時部１０２から供給される時間の情報とユーザにより設定されているタイマ時間に基づいて、チャンネルタイマ機能をオンにしてからの時間が、タイマ時間として設定された時間となり、残り時間が０秒になったか否かを判定する。
【０１０９】
再生制御部１０１は、ステップＳ４において、チャンネルタイマ機能をオンにしてからの時間がタイマ時間として設定された時間になっていないと判定した場合、ステップＳ３に戻り、ユーザによる操作に応じたチャンネルの切り替えなどを繰り返し実行する。
【０１１０】
一方、ステップＳ４において、再生制御部１０１は、チャンネルタイマ機能をオンにしてからの時間がタイマ時間として設定された時間になったと判定した場合、ステップＳ５に進み、チャンネルタイマ機能をオフとし、チューナ１６を制御することによって、チャンネルタイマ機能がオンにされたときに受信していたチャンネルを再度受信させる。
【０１１１】
これにより、チャンネルタイマ機能がオンにされてからの時間が、タイマ時間としてあらかじめ設定されていた時間になった場合、チャンネルタイマ機能がオンにされたときに受信していたチャンネルが再度受信され、ユーザにより視聴されていた番組の映像が映像表示部５２に表示される。また、番組の音声がスピーカから出力される。番組表示部４１が他のウインドウの下に隠れている場合、番組表示部４１が前面に表示されることなども行われる。
【０１１２】
以上においては、チャンネルタイマ機能によるチャンネルの受信の切り替えがパーソナルコンピュータにおいて行われるものとしたが、テレビジョン受像機、携帯電話機などの、テレビジョン番組を受信することができる機器であれば、どのような装置において行われるようにしてもよい。
【０１１３】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１１４】
コンピュータにインストールされ、コンピュータによって実行可能な状態とされるプログラムを格納するプログラム記録媒体は、図１に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア２２、または、プログラムが一時的もしくは永続的に格納されるROM１２や、記憶部１９を構成するハードディスクなどにより構成される。プログラム記録媒体へのプログラムの格納は、必要に応じてルータ、モデムなどのインターフェースである通信部２０を介して、ローカルエリアネットワーク、インターネット、ディジタル衛星放送といった、有線または無線の通信媒体を利用して行われる。
【０１１５】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１１６】
【図１】本発明の一実施形態に係るパーソナルコンピュータのハードウエア構成例を示すブロック図である。
【図２】ディスプレイに表示される画面の例を示す図である。
【図３】図２のウインドウを拡大して示す図である。
【図４】ディスプレイに表示される他の画面の例を示す図である。
【図５】ディスプレイに表示されるさらに他の画面の例を示す図である。
【図６】図３のチャンネルタイマ表示部を拡大して示す図である。
【図７】番組表示部の表示の遷移の例を示す図である。
【図８】番組表示部の表示の遷移の他の例を示す図である。
【図９】番組表示部の表示の遷移のさらに他の例を示す図である。
【図１０】タイマ時間の一覧の表示例を示す図である。
【図１１】番組表示部の表示の遷移の例を示す図である。
【図１２】パーソナルコンピュータの機能構成例を示すブロック図である。
【図１３】パーソナルコンピュータのチャンネル切り替え処理について説明するフローチャートである。
【符号の説明】
【０１１７】
１  パーソナルコンピュータ，  ４１  番組表示部，  ４２  リスト表示部，  ５１  タイトルバー，  ５２  映像表示部，  ５３  コントロールパネル，  ７１  チャンネルリスト，  ７２  番組詳細情報表示部，  １０１  再生制御部，  １０２  計時部
【図１】
2007282114.tif 000003
【図２】
2007282114.tif 000004
【図３】
2007282114.tif 000005
【図４】
2007282114.tif 000006
【図５】
2007282114.tif 000007
【図６】
2007282114.tif 000008
【図７】
2007282114.tif 000009
【図８】
2007282114.tif 000010
【図９】
2007282114.tif 000011
【図１０】
2007282114.tif 000012
【図１１】
2007282114.tif 000013
【図１２】
2007282114.tif 000014
【図１３】
2007282114.tif 000015